(57)【要約】      （修正有）【課題】寸法精度及び強度が高く、かつ作業効率が向上する木造枠組壁工法建築物を提供する。【解決手段】木造枠組壁工法建築物２においては、連結する複数のパネル１０の上枠１１に積層構造用一枚合板３０が積層し、この積層が連結部２０をより強固に接続している。また、積層構造用一枚合板３０の形状によって連結部２０の交叉形状が定まるため、連結部２０の角度のばらつきが、従来の木造枠組壁工法建築物の例示１の場合より小さくなる。その結果、木造枠組壁工法建築物２の寸法精度は従来の場合より効率的に高められる。たとえば、積層構造用一枚合板３０は、工場において、ＮＣルーターで加工されるため高い寸法精度で製作される。そのため、木造枠組壁工法建築物２の隅角部の寸法精度はそれに倣う。そのため、木造枠組壁工法建築物２の寸法精度も高いものになる。【選択図】図３
0003190923.tif 000002
【実用新案登録請求の範囲】
【請求項１】
枠組みを有するパネル群が交叉して連結する構造を有する木造枠組壁工法建築物であって、
前記パネル群のうちの一のパネルと、
前記一のパネルと交叉して連結する前記パネル群のうちの少なくとも１以上の他のパネルと、
前記一のパネル及び前記他のパネルとの前記連結部において、前記一のパネルの上枠及び前記他のパネルの上枠の双方に積層する板状断面を有する積層構造用一枚合板と、
を有する木造枠組壁工法建築物。
【請求項２】
前記一のパネルと、前記他のパネルとの連結部の交叉が、略直交するパネル構造であることを特徴とする、
請求項１係る木造枠組壁工法建築物。
【請求項３】
前記一のパネルと、前記他のパネルとの前記連結部の交叉形状が略Ｌ字、略Ｔ字及び略十字の形状を含む又はそのいずれかを含むパネル構造であって、前記積層構造用一枚合板の上面形状と前記パネル群の連結部の交叉形状とが一致することを特徴とする、
請求項１又は２に係る木造枠組壁工法建築物。  
【考案の詳細な説明】
【技術分野】
【０００１】
本考案は、木造枠組壁工法建築物に関する。  
【背景技術】
【０００２】
縦枠及び横枠を含む枠組壁であるパネル群と剛床とがフレーム状に連結された木造枠組壁工法建築物は、木造軸組建築物と比較して、高い耐震性、耐火性、気密性及び防音性を発揮する。その建築工法として、ツーバイフォー工法が用いられることが多い。
近年、兵庫県南部地震（阪神淡路大震災）、新潟県中越地震及び東北地方太平洋沖地震（東日本大震災）などによって、木造建築物が甚大な被害を蒙る事象が相次いでいる。木造軸組構造物が地震動によって倒壊乃至半壊するなど建物自体が大損傷を受けているのに対して、木造枠組壁工法建築物は倒壊するなどの大損傷を蒙らなかったことが知られ、その耐震性の高さが発揮されている。
【０００３】
木造枠組壁工法建築物は、複数のパネルの連結によって組み立てられる。通常のツーバイフォー工法では、上枠と上枠に積層する頭つなぎが連結される。連結部の強さや一体性を高めれば、木造枠組壁工法建築物の耐震性や気密性はさらに向上することが知られている。
【先行技術文献】
【特許文献】
【０００４】
【非特許文献１】十勝２×４協会ホームページ        （ｈｔｔｐ：／／ｗｗｗ．ｔｏｋａｔｃｈｉ２×４．ｃоｍ）
【考案の概要】
【考案が解決しようとする課題】
【０００５】
以下のいかなる記載も本考案を限定する趣旨ではない。
木造枠組壁工法建築物は、その強度の高さから、相次ぐ大規模地震災害でもその耐震性の高さを発揮している。非特許文献１に示す木造枠組壁工法建築物のパネル連結部においては、パネルの上枠及び上枠に積層する頭つなぎのそれぞれの端面を当接させている。図１及び図２に非特許文献１が例示する構造を示すが、特に、上枠と頭つなぎの積層する連結部ではそれぞれの端面を互い違いにして当接させ強度を得ようとしている。しかし、これら従来の連結部は、上枠及び頭つなぎのそれぞれの端面が当接し、上枠と頭つなぎとの十分な積層がないことから強度発揮に限界があった。たとえば、兵庫県南部地震では、縦の地震動によって連結した隅角部が分離してしまうという破損家屋があったとされる。また、連結部の当接面積が小さいため、連結部の寸法精度、特に直角度に代表される角度精度がばらつきやすく、角度精度を上げるには熟練した建築作業者による連結作業が必要となった。
【０００６】
上記のように、現在のツーバイフォー工法に代表される木造パネル建築構造体のパネル連結にあたっては、１）連結部の上枠及び頭つなぎの端面の当接部と両者の重なり部のみが連結されるから連結面積が小さく建物強度を高くできない、２）パネル連結部の直角度など寸法精度のばらつきを下げ、作業効率よく寸法精度を上げたい、という課題があった。
本考案の目的は、これら従来の木造枠組壁工法建築物の課題を解決することである。
【課題を解決するための手段】
【０００７】
考案者らは、木造枠組壁工法建築物について、１）連結部を一体的構造部品で組み立て、十分な連結面を確保して強度を向上させること、２）一体的構造部品を使用することによって寸法精度、特に角度精度を効率よく向上させることを考慮しつつ、木造枠組壁工法建築物の構造を考察し、強度試験を行った。その結果、以下に示す積層構造用一枚合板をパネル連結部に用いた木造枠組壁工法建築物を考案するに至った。  
【０００８】
枠組みを有するパネル群が交叉して連結する構造を有する木造枠組壁工法建築物であって、前記パネル群のうちの一のパネルと、前記一のパネルと交叉して連結する前記パネル群のうちの少なくとも１以上の他のパネルと、
前記一のパネル及び前記他のパネルとの前記連結部において、前記一のパネルの上枠及び前記他のパネルの上枠の双方に積層する板状断面を有する積層構造用一枚合板と、を有する木造枠組壁工法建築物を提供する。
【０００９】
前記一のパネルと、前記他のパネルとの連結部の交叉が、略直交するパネル構造であることを特徴とする前記木造枠組壁工法建築物を提供する。
【００１０】
前記一のパネルと、前記他のパネルとの前記連結部の交叉形状が略Ｌ字、略Ｔ字及び略十字の形状を含む又はそのいずれかを含むパネル構造であって、前記積層構造用一枚合板の上面形状と前記パネル群の連結部の交叉形状とが一致することを特徴とする、前記いずれかの木造枠組壁工法建築物を提供する。  
【考案の効果】
【００１１】
寸法精度及び強度が高く、かつ作業効率が向上する木造枠組壁工法建築物が得られた。
【図面の簡単な説明】
【００１２】
【図１】非特許文献１で例示される従来の木造枠組壁工法建築物１の斜視図である。
【図２】非特許文献１で例示される従来の木造枠組壁工法建築物１の斜視図である。
【図３】本考案に係る好適な第一の実施形態に係る木造枠組壁工法建築物２の斜視図である。
【図４】本考案に係る好適な第二の実施形態に係る木造枠組壁工法建築物３の斜視図である。
【考案を実施するための形態】
【００１３】
以下、図を用いて本考案の実施形態について説明する。なお、以下の説明のいかなる記載も本考案を限定する趣旨ではない。
【００１４】
図３は、上面から見てパネルがＬ字状に連結された、本考案の好適な第一の実施形態に係る木造枠組壁工法建築物２の斜視図である。木造枠組壁工法建築物２は、建築物の外壁を形成する構造の一例である。外壁は、二のパネル１０からなっている。パネル１０には、上枠１１の横枠と、縦枠１２とが含まれている。枠１１乃至１２を含むパネル１０が連結部２０で略直角に接続され、略Ｌ字状の上面形状をなしている。連結部２０において、パネル１０の上枠１１に積層構造用一枚合板３０が積層している。積層構造用一枚合板３０が二のパネル１０の上枠１１の上面に積層する。積層構造用一枚合板３０には、パネル１０の頭つなぎ４０が隣接する。
【００１５】
図１乃至２に示す、従来の木造枠組壁工法建築物の例示１（図１及び図２）においては、上枠１１の幅分の当接及び連結部での頭つなぎとの重なりしか連結に寄与していなかったが、本考案の好適な第一の実施形態に係る木造枠組壁工法建築物２においては、連結する複数のパネル１０の上枠１１に積層構造用一枚合板３０が積層し、この積層が連結部２０をより強固に接続している。  
また、積層構造用一枚合板３０の形状によって連結部２０の交叉形状が定まるため、連結部２０の角度のばらつきが、従来の木造枠組壁工法建築物の例示１の場合より小さくなる。その結果、木造枠組壁工法建築物２の寸法精度は従来の場合より効率的に高められる。たとえば、積層構造用一枚合板３０は、工場において、ＮＣルーターで加工されるため高い寸法精度で製作される。そのため、本考案の好適な第一の実施形態に係る木造枠組壁工法建築物２の隅角部の寸法精度はそれに倣う。そのため、木造枠組壁工法建築物２の寸法精度も高いものになる。
【００１６】
本考案の好適な第一の実施形態においては、従来、頭つなぎ４０が配置されていた連結部２０に積層構造用一枚合板３０が配置されている。
【００１７】
本考案に係る積層構造用一枚合板３０が木製であり、同じく木製である上枠１１の上に積層され、釘の打ち付け等によって木造枠組壁工法建築物２に組み立てられる。このとき、両者が木材であるため、釘打ち込みによって相互に弾性的に圧着され、よくなじむことになる。このことが、木造枠組壁工法建築物２の強度を一層高いものにする。
【００１８】
図４は、本考案の好適な第２の実施形態に係る略Ｔ字状の木造枠組壁工法建築物３の斜視図である。本考案の第一の実施形態の場合と異なり、外壁に相当する二のパネル１０と内壁に相当する一のパネル１０とが略Ｔ字形状に連結している。外壁相当のパネル１０の上枠１１に積層構造用一枚合板３０が積層している。積層構造用一枚合板３０にはそれぞれのパネル１０上の頭つなぎ４０が隣接している。
本考案の第２の実施形態に係る木造枠組壁工法建築物３においても、本考案の第一の実施形態に係る木造枠組壁工法建築物２と同様な効果が得られる。特に、連結するパネル１０が多くなるほど、寸法精度向上の効果が大きく、熟練度が低い作業者であっても効率的に組立が行える。
【００１９】
本考案の第３の実施形態においては、連結部２０が略十字である木造枠組壁工法建築物であってよい。その効果は、本考案に係る好適な第一の実施形態に係る木造パネル建築構造物２の場合と同様である。
【００２０】
本考案の第４の実施形態においては、連結部２０が略Ｌ字、略Ｔ字及び略十字の複数を含んでいてもよい。その効果は、本考案に係る好適な第一の実施形態に係る木造枠組壁工法建築物２の場合と同様である。そして、構造が複雑になるほど、積層構造用一枚合板３０の適用により、寸法精度向上効果が顕著となる。
【００２１】
本考案の第５の実施形態は、前記本考案の第１乃至第４の実施形態に係る木造枠組壁工法建築物がツーバイフォー工法によって建築される場合であってもよい。ツーバイフォー工法によって建築された内壁及び外壁のパネル群の木造枠組壁工法建築物を例示する。その効果は、本考案に係る好適な第一の実施形態に係る木造枠組壁工法建築物２の場合と同様である。構造が複雑になるほど、積層構造用一枚合板３０の適用により、寸法精度向上効果が顕著となる。
【符号の説明】
【００２２】
１：従来の木造枠組壁工法建築物の例示
２：本考案の好適な第一の実施形態に係る木造枠組壁工法建築物
３：本考案の好適な第二の実施形態に係る木造枠組壁工法建築物
１０：パネル
１１：上枠
１２：縦枠
２０：連結部
３０：積層構造用一枚合板
４０：頭つなぎ
【図１】
0003190923.tif 000003
【図２】
0003190923.tif 000004
【図３】
0003190923.tif 000005
【図４】
0003190923.tif 000006